【手続補正書】
【提出日】平成23年6月19日(2011.6.19)
【手続補正１】
【補正対象書類名】特許請求の範囲
【補正対象項目名】全文
【補正方法】変更
【補正の内容】
【特許請求の範囲】
【請求項１】
学習素材データに対し、教材化操作を行なう教材化操作手段と、
教材化操作手段の操作に従い、教材化情報を作成する教材化情報作成手段と、
学習素材データと教材化情報を用いて教材データを作成する教材作成手段と、
学習者に教材を提示する教材提示手段と、
を備えたこと、
を特徴とする学習端末。
【請求項２】
教材化には、学習素材データの全体または一部に対する補足情報の付加、変更、設問の設定の内、少なくとも１つを含むこと、
を特徴とする請求項１記載の学習端末。
【請求項３】
学習素材としての外国語音声データの再生をする再生手段と、
外国語音声データに対し、部分再生範囲の設定をする部分再生範囲設定手段と、
部分再生範囲情報を記憶する部分再生範囲情報記憶手段と、
部分再生範囲を選択して再生を指示する部分再生範囲再生指示手段と、
再生手段を制御し、再生が指示された部分再生範囲を再生させる再生制御手段と、
を備え、
部分再生範囲設定手段は、
外国語音声データの再生中に区切りポイントを指定する区切りポイント指定手段と、
指定された区切りポイントを登録する区切りポイント登録手段と、
部分再生範囲の境界とする区切りポイントを選択する選択手段と、
選択された部分再生範囲の境界間を部分再生範囲として部分再生範囲情報記憶手段に登録する部分再生範囲登録手段と、
を含むこと、
を特徴とする学習端末。
【請求項４】
外国語音声データに対応する外国語テキストに対し、テキスト教材化操作を行なう教材化操作手段と、
教材化操作手段の操作に従い、テキスト教材化情報を作成するテキスト教材化情報作成手段と、
外国語テキストとテキスト教材化情報を用いてテキスト教材データを作成するテキスト教材作成手段と、
テキスト教材を表示する表示手段と、
を備えたこと、
を特徴とする請求項３記載の学習端末。
【請求項５】
学習素材としての外国語音声データに対し、部分再生範囲の設定操作に従い部分再生範囲の設定をする処理ステップと、
部分再生範囲情報を記憶する処理ステップと、
部分再生範囲を選択して再生が指示されると、指示された部分再生範囲を再生させる処理ステップと、
を含み、
部分再生範囲の設定をする処理ステップには、
外国語音声データの再生中に指定された区切りポイントを登録する処理ステップと、
部分再生範囲の境界とする区切りポイントが選択されると、選択された部分再生範囲の境界間を部分再生範囲として登録する処理と、
を含むこと、
を特徴とする学習プログラム。
【請求項６】
外国語音声データに対応する外国語テキストに対しなされたテキスト教材化操作に従い、テキスト教材化情報を作成する処理ステップと、
外国語テキストとテキスト教材化情報を用いてテキスト教材データを作成する処理ステップと、
テキスト教材を表示する処理ステップを含むこと、
を特徴とする請求項５記載の学習プログラム。
【手続補正２】
【補正対象書類名】明細書
【補正対象項目名】０００５
【補正方法】変更
【補正の内容】
【０００５】
本発明に係る学習端末の１つの態様では、学習素材データに対し、教材化操作を行なう教材化操作手段と、教材化操作手段の操作に従い、教材化情報を作成する教材化情報作成手段と、学習素材データと教材化情報を用いて教材データを作成する教材作成手段と、学習者に教材を提示する教材提示手段と、を備えたこと、を特徴としている。
本発明に係る学習端末の他の１つの態様では、教材化には、学習素材データの全体または一部に対する補足情報の付加、変更、設問の設定の内、少なくとも１つを含むこと、を特徴としている。
外部から学習素材データを取得する学習素材取得手段または記録媒体に記録された学習素材データを読み取る学習素材読み取り手段を備えるようにしてもよい。
また、教材に対し学習者が学習操作をする学習操作手段と、学習操作に応答した出力を行なう学習操作応答手段を備えるようにしても良い。
また、学習素材データは音声データを含み、教材化には、音声データの全体または一部に対する補足情報の付加、音声データの全体または一部に対する設問の設定、１または複数の部分再生範囲の設定の内、少なくとも１つを含むようにしても良い。
また、学習素材データはテキストデータを含み、教材化には、テキストの一部の変更、テキストの全体または一部に対する補足情報の付加、テキストの全体または一部に対する設問の設定の内、少なくとも１つを含むようにしても良い。
また、教材化情報を保存する保存手段を設けても良く、この際、教材化情報を学習素材特定情報とともに保存するようにしても良い。
本発明に係る学習端末の他の１つの態様では、学習素材としての外国語音声データの再生をする再生手段と、外国語音声データに対し、部分再生範囲の設定をする部分再生範囲設定手段と、部分再生範囲情報を記憶する部分再生範囲情報記憶手段と、部分再生範囲を選択して再生を指示する部分再生範囲再生指示手段と、再生手段を制御し、再生が指示された部分再生範囲を再生させる再生制御手段と、を備え、部分再生範囲設定手段は、外国語音声データの再生中に区切りポイントを指定する区切りポイント指定手段と、指定された区切りポイントを登録する区切りポイント登録手段と、部分再生範囲の境界とする区切りポイントを選択する選択手段と、選択された部分再生範囲の境界間を部分再生範囲として部分再生範囲情報記憶手段に登録する部分再生範囲登録手段と、を含むこと、を特徴としている。
本発明に係る学習端末の他の１つの態様では、外国語音声データに対応する外国語テキストに対し、テキスト教材化操作を行なう教材化操作手段と、教材化操作手段の操作に従い、テキスト教材化情報を作成するテキスト教材化情報作成手段と、外国語テキストとテキスト教材化情報を用いてテキスト教材データを作成するテキスト教材作成手段と、テキスト教材を表示する表示手段と、を備えたこと、を特徴としている。
外部から外国語音声データを取得する学習素材取得手段または記録媒体に記録された学習素材データを読み取る学習素材読み取り手段を備えるようにしてもよい。
また、学習者の音声を録再する録再手段を設けても良い。
また、テキスト教材化には、外国語テキストデータに対する設問の設定を含み、設問呼び出し操作を行なう設問呼び出し操作手段と、設問呼び出し操作に従い設問を提示する設問提示手段と、を備えるようにしても良い。
【手続補正３】
【補正対象書類名】明細書
【補正対象項目名】０００６
【補正方法】変更
【補正の内容】
【０００６】
本発明に係る学習プログラムの１つの態様では、学習素材としての外国語音声データに対し、部分再生範囲の設定操作に従い部分再生範囲の設定をする処理ステップと、部分再生範囲情報を記憶する処理ステップと、部分再生範囲を選択して再生が指示されると、指示された部分再生範囲を再生させる処理ステップと、を含み、部分再生範囲の設定をする処理ステップには、外国語音声データの再生中に指定された区切りポイントを登録する処理ステップと、部分再生範囲の境界とする区切りポイントが選択されると、選択された部分再生範囲の境界間を部分再生範囲として登録する処理と、を含むこと、を特徴としている。
本発明に係る学習プログラムの他の１つの態様では、外国語音声データに対応する外国語テキストに対しなされたテキスト教材化操作に従い、テキスト教材化情報を作成する処理ステップと、外国語テキストとテキスト教材化情報を用いてテキスト教材データを作成する処理ステップと、テキスト教材を表示する処理ステップを含むこと、を特徴としている。
外部から外国語音声データを取得する処理ステップまたは記録媒体から外国語音声データを読み取る処理ステップを含むようにしても良い。
また、学習者の音声を録再する処理ステップを含むようにしても良い。
また、テキスト教材化には、外国語テキストデータに対する設問の設定する処理ステップと、設問呼び出し操作に従い設問を提示する処理ステップを含むようにしても良い。
【手続補正４】
【補正対象書類名】明細書
【補正対象項目名】０００７
【補正方法】変更
【補正の内容】
【０００７】
本発明によれば、ニュース、解説、論文、映画、物語等の任意の素材に対し、学習者が補足情報の付加、設問作成、１または複数の部分再生範囲の設定（素材が音声データを含む場合）、素材の一部の変更（素材がテキストを含む場合）などの教材化を行なうことができ、自身の学力、学習法に適った豊富な教材を準備して、効率的かつ多彩な学習により学力向上を図ることができる。